(57)【要約】【課題】ユーザの負担を軽減し、ユーザの嗜好に合った設定で使用できる再生装置を提供する。【解決手段】本発明に係るテレビ１０は、ユーザの嗜好を反映した設定情報が格納されている携帯端末２０から設定情報を取得し、取得した設定情報をテレビ１０の設定情報として設定する取得設定部１８４と、携帯端末２０が検出されている間、取得設定部１８４によって設定された設定情報に従ってコンテンツを再生する再生手段と、を備えている。【選択図】図１
2013106108.tif 000002
【特許請求の範囲】
【請求項１】
ユーザの嗜好を反映した設定情報が格納されている携帯端末から上記設定情報を取得する取得手段と、
上記取得手段によって取得された上記設定情報を、自装置の設定情報として設定する設定手段と、
上記携帯端末を検出する検出手段と、
コンテンツを再生する再生手段と、を備え、
上記再生手段は、上記携帯端末が検出されている間、上記設定手段によって設定された上記設定情報に従ってコンテンツを再生する、
ことを特徴とする再生装置。
【請求項２】
上記検出手段は、上記携帯端末が自装置の周囲に存在するか否かを繰り返し判定する、
ことを特徴とする請求項１に記載の再生装置。
【請求項３】
上記検出手段は、自装置の周囲に複数の携帯端末を検出した場合に、複数の上記携帯端末の優先順位を判定し、
上記取得手段は、上記検出手段において優先順位が最も高いと判定された上記携帯端末に格納されている設定情報を取得する、
ことを特徴とする請求項１又は２に記載の再生装置。
【請求項４】
上記再生装置には、各携帯端末と関連付けられた優先順位が格納されており、
上記検出手段は、上記各携帯端末と関連付けられた優先順位を参照することによって、上記携帯端末の優先順位を判定する、
ことを特徴とする請求項３に記載の再生装置。
【請求項５】
上記検出手段は、上記携帯端末に優先順位が関連付けられていない場合、当該優先順位が関連づけられていない携帯端末を、優先順位が関連づけられている携帯端末よりも、優先順位が低いと判定する、
ことを特徴とする請求項４に記載の再生装置。
【請求項６】
上記取得手段によって取得された設定情報に従って、自装置における視聴制限を設定する視聴制限設定手段を備えている、
ことを特徴とする請求項１から５の何れか１項に記載の再生装置。
【請求項７】
上記取得手段は、上記検出手段によって上記携帯端末が検出された場合に、上記携帯端末から上記設定情報を取得する、
ことを特徴とする請求項１から６の何れか１項に記載の再生装置。
【請求項８】
自装置にて設定されている設定情報であって、ユーザの嗜好を反映した設定情報を上記携帯端末へ供給する供給手段を備えている、
ことを特徴とする請求項１から７の何れか１項に記載の再生装置。
【請求項９】
再生装置の制御方法であって、
ユーザの嗜好を反映した設定情報が格納されている携帯端末から上記設定情報を取得する取得ステップと、
上記取得ステップにおいて取得された上記設定情報を、自装置の設定情報として設定する設定ステップと、
上記携帯端末を検出する検出ステップと、
コンテンツを再生する再生ステップと、を含み、
上記再生ステップは、上記携帯端末が検出されている間、上記設定ステップにおいて設定された上記設定情報に従ってコンテンツを再生する、
ことを特徴とする制御方法。
【請求項１０】
請求項１から８の何れか１項に記載の再生装置の各手段を備えている、
ことを特徴とするテレビジョン受像機。
【請求項１１】
コンピュータを請求項１から８の何れか１項に記載の再生装置として動作させるためのプログラムであって、上記コンピュータを上記再生装置の各手段として機能させるプログラム。
【請求項１２】
請求項１１に記載のプログラムが記録されているコンピュータ読み取り可能な記録媒体。
【発明の詳細な説明】
【技術分野】
【０００１】
本発明は、再生装置に関する。また、再生装置を備えたテレビジョン受像機、再生装置としてコンピュータを動作させるためのプログラム、及び、そのようなプログラムが記録されている記録媒体に関する。
【背景技術】
【０００２】
近年、各放送局から提供される放送番組の番組情報、及び、電子番組表などを参照してユーザの嗜好を記憶し、ユーザの嗜好に合致した放送番組を自動的に録画する自動録画（常連録画と呼称されることもある）などの機能を備えたテレビジョン受像機（以降、単にテレビとも呼称する）が普及してきている。
【０００３】
また、ＵＳＢメモリなどの記録媒体を接続することによって、ソフトウェアのバージョンアップなどを実行することのできるテレビも開発されている。
【０００４】
さらに、スマートフォン及び携帯電話などに代表される携帯端末を自装置のリモートコントローラ（以降、単にリモコンとも呼称する）として認識したり、携帯端末に記録されている写真を表示したりすることができるテレビも開発されている。
【０００５】
特許文献１には、画像ファイルの形式で外部メモリ（ＵＳＢメモリ）に格納された設定情報と、予めテレビに設定されている設定情報とを比較して、異なる設定となっている項目のみを設定することでテレビの設定処理時間を短縮することができる技術が開示されている。
【先行技術文献】
【特許文献】
【０００６】
【特許文献１】特開２００８−２２７６７８号公報（２００８年９月２５日公開）
【発明の概要】
【発明が解決しようとする課題】
【０００７】
しかし、特許文献１に記載の技術では、外部メモリに画像ファイルの形式で設定情報が格納されているため、ユーザは、外部メモリに格納されている画像ファイルが示す設定情報と、テレビの設定情報とが異なる設定となっている項目を、直接ユーザ自身で入力しなければならず、テレビの設定が煩雑になってしまうという問題があった。
【０００８】
本発明は、上記の問題に鑑みてなされたものであり、その目的は、ユーザの負担を軽減すると共に、ユーザの嗜好に合った設定で使用することのできる再生装置を提供することにある。
【課題を解決するための手段】
【０００９】
本発明に係る再生装置は、上記の課題を解決するために、ユーザの嗜好を反映した設定情報が格納されている携帯端末から上記設定情報を取得する取得手段と、上記取得手段によって取得された上記設定情報を、自装置の設定情報として設定する設定手段と、上記携帯端末を検出する検出手段と、コンテンツを再生する再生手段と、を備え、上記再生手段は、上記携帯端末が検出されている間、上記設定手段によって設定された上記設定情報に従ってコンテンツを再生する、ことを特徴としている。
【００１０】
上記の構成によれば、上記再生装置は、上記携帯端末に格納されているユーザの設定情報を、当該再生装置の設定情報として設定する。また、上記再生装置は、上述のように設定した設定情報に従ってコンテンツを再生する。つまり、上記再生装置は、ユーザの嗜好を反映した設定情報を当該再生装置の設定情報として用いることができる。
【００１１】
これによって、上記再生装置は、ユーザが上記再生装置においてコンテンツを再生する際の設定情報（例えば、輝度、シャープネス、及び、コントラストの少なくとも１つを調整するような設定）を入力する手間を省くことができる。また、上記再生装置は、上記携帯端末から設定情報を取得することによって、上記携帯端末を所有するユーザの嗜好に特化した設定を行うことができる。
【００１２】
したがって、上記再生装置は、当該再生装置に対するユーザの設定情報の入力に関する負担を軽減すると共に、ユーザの嗜好に合致した設定でコンテンツを再生することができる。
【００１３】
また、上記の構成によれば、上記再生装置は、上記携帯端末が検出されている間のみ、上記携帯端末から取得した設定情報に従ってコンテンツを再生する。つまり、上記携帯端末が検出されなくなった場合には、上記携帯端末から取得した設定情報は、上記再生装置の設定装置として適用されない。
【００１４】
これによって、上記携帯端末のユーザが上記再生装置から離れた後にも、コンテンツが上記携帯端末から取得した設定情報に従って再生され続けることを防ぐことができる。
【００１５】
また、本発明に係る再生装置において、上記検出手段は、上記携帯端末が自装置の周囲に存在するか否かを、繰り返し判定する、ことが好ましい。
【００１６】
上記の構成によれば、上記検出手段は、上記携帯端末が存在するか否かを、繰り返し判定する。例えば、上記検出手段によって優先順位が高いと判定された上記携帯端末のユーザ（以下、便宜的にユーザＡと呼称する）が当該携帯端末を持って上記再生装置の周囲を離れた場合に、ユーザＡの所有する携帯端末が検出されなくなったことを判定する。
【００１７】
これにより、上記検出手段によってユーザＡの所有する携帯端末を除く複数の携帯端末から最も優先順位が高いと判定された携帯端末に格納されている設定情報を、上記再生装置の設定情報として設定することができる。したがって、ユーザＡの所有する携帯端末に格納されている設定情報（すなわち、ユーザＡの嗜好）が上記再生装置の設定情報として設定され続けることを防ぐことができる。
【００１８】
また、上記の構成によれば、ユーザＡの所有する携帯端末よりも優先順位の高い携帯端末を所有するユーザ（以下、便宜的にユーザＢと呼称する）が上記再生装置を利用し始めた場合に、ユーザＢの所有する携帯端末に格納されている設定情報を上記再生装置の設定情報として設定することができる。
【００１９】
したがって、上記再生装置の周囲に存在する上記携帯端末が増減した場合（すなわち、上記再生装置を利用するユーザが増減した場合）にも、当該再生装置を利用しているユーザの嗜好を反映した設定情報として最も適した設定情報を、当該再生装置の設定情報として設定することができる。
【００２０】
また、本発明に係る再生装置において、上記検出手段は、自装置の周囲に複数の携帯端末を検出した場合に、複数の上記携帯端末の優先順位を判定し、上記取得手段は、上記検出手段において優先順位が最も高いと判定された上記携帯端末に格納されている設定情報を取得する、ことが好ましい。
【００２１】
上記の構成によれば、上記再生装置は、上記携帯端末が複数存在する場合には、最も優先順位が高い上記携帯端末に格納されている設定情報を取得する。これによれば、上記再生装置は、上記携帯端末が複数存在する場合には最も優先順位が高い上記携帯端末に格納されている設定情報を、当該再生装置の設定情報、及び、視聴制限の設定に用いる。
【００２２】
したがって、上記再生装置は、上記携帯端末が複数存在する場合であっても、当該再生装置を利用しているユーザの嗜好を反映した設定情報として最も適した設定情報を、当該再生装置の設定情報として設定することができる。
【００２３】
また、本発明に係る再生装置において、上記再生装置には、各携帯端末と関連付けられた優先順位が格納されており、上記検出手段は、上記各携帯端末と関連付けられた優先順位を参照することによって、上記携帯端末の優先順位を判定する、ことが好ましい。
【００２４】
上記の構成によれば、上記検出手段は、各携帯端末と関連付けられている優先順位を参照することによって、上記携帯端末の優先順位を判定するため、優先順位を容易に判定することができる。
【００２５】
また、本発明に係る再生装置において、上記検出手段は、上記携帯端末に優先順位が関連付けられていない場合、当該優先順位が関連づけられていない携帯端末を、優先順位が関連づけられている携帯端末よりも、優先順位が低いと判定する、ことが好ましい。
【００２６】
上記の構成によれば、上記検出手段は、優先順位が関連づけられていない携帯端末を、優先順位が関連づけられている携帯端末よりも、優先順位が低いと判定するため、優先順位が関連づけられていない携帯端末の優先順位が判定不能になることを防ぐことができる。
【００２７】
また、本発明に係る再生装置は、上記取得手段によって取得された設定情報に従って、自装置における視聴制限を設定する視聴制限設定手段を備えている、ことが好ましい。
【００２８】
上記の構成によれば、上記視聴制御設定手段において設定された設定情報に従って、視聴制限を設定する。つまり、上記再生装置は、ユーザの設定情報を当該再生装置の視聴制限の設定に用いることができる。これによって、上記再生装置は、ユーザが上記再生装置においてコンテンツの視聴制限に関する設定を入力する手間を省くことができる。なお、視聴制限の設定としては、例えば、年齢制限のあるチャンネル及びジャンルなどを視聴するための、自身の年齢の設定、及び、課金の契約をしない限り視聴できないチャンネル及びジャンルなどを視聴するために課金の契約が完了している旨を示すための設定などを挙げることができる。
【００２９】
したがって、上記再生装置は、当該再生装置に対するユーザの視聴制限の入力に関する負担を軽減すると共に、ユーザの設定に合致した設定で視聴制限を設定することができる。
【００３０】
また、本発明に係る再生装置において、上記取得手段は、上記検出手段によって上記携帯端末が検出された場合に、上記携帯端末から上記設定情報を取得する、ことが好ましい。
【００３１】
上記の構成によれば、上記再生装置は、上記検出手段によって当該再生装置の周囲に存在する上記携帯端末が検出された場合に、上記携帯端末から設定情報を取得する。つまり、上記検出手段によって上記携帯端末が検出されない場合には、上記再生装置は、上記携帯端末から設定情報を取得しない。
【００３２】
これによって、上記再生装置は、上記携帯端末から取得した設定情報を当該再生装置の設定情報として設定するか否かを、上記携帯端末が検出されるか否かによって決定することができる。
【００３３】
また、本発明に係る再生装置は、自装置にて設定されている設定情報であって、ユーザの嗜好を反映した設定情報を上記携帯端末へ供給する供給手段を備えている、ことが好ましい。
【００３４】
上記の構成によれば、上記再生装置は、当該再生装置に設定されている設定情報を上記携帯端末へ供給する。これによれば、ユーザは、上記再生装置において自身の嗜好を反映させるように設定した設定情報を、自身の所有する携帯端末に格納することができる。
【００３５】
したがって、ユーザは、自身の嗜好を反映した設定情報を、上記携帯端末によって持ち運ぶことができる。
【００３６】
本発明に係る制御方法は、上記の課題を解決するために、再生装置の制御方法であって、ユーザの嗜好を反映した設定情報が格納されている携帯端末から上記設定情報を取得する取得ステップと、上記取得ステップにおいて取得された上記設定情報を、自装置の設定情報として設定する設定ステップと、上記携帯端末を検出する検出ステップと、コンテンツを再生する再生ステップと、を含み、上記再生ステップは、上記携帯端末が検出されている間、上記設定ステップにおいて設定された上記設定情報に従ってコンテンツを再生する、ことを特徴としている。
【００３７】
上記の構成によれば、上記再生装置は、上記携帯端末に格納されているユーザの設定情報を、当該再生装置の設定情報として設定する。また、上記再生装置は、上述のように設定した設定情報に従ってコンテンツを再生する。つまり、上記再生装置は、ユーザの設定情報を当該再生装置の設定情報として用いることができる。
【００３８】
これによって、上記再生装置は、ユーザが上記再生装置においてコンテンツを再生する際の設定情報（例えば、輝度、シャープネス、及び、コントラストの少なくとも１つを調整するような設定）を入力する手間を省くことができる。また、上記再生装置は、上記携帯端末から設定情報を取得することによって、上記携帯端末のユーザの嗜好に特化した設定を行うことができる。
【００３９】
したがって、上記再生装置は、当該再生装置に対するユーザの設定情報の入力に関する負担を軽減すると共に、ユーザの嗜好に合致した設定でコンテンツを再生することができる。
【００４０】
なお、上記再生装置の各手段を備えるテレビジョン受像機も本発明の範疇に入る。
【００４１】
また、本発明の目的は、コンピュータを上記録画再生装置として動作させるためのプログラムによっても達成することができる。そして、そのようなプログラム自体のみならず、そのようなプログラムが記録されているコンピュータ読み取り可能な記録媒体も本発明の範疇に入る。
【発明の効果】
【００４２】
本発明に係る再生装置は、上述のように、ユーザの嗜好を反映した設定情報が格納されている携帯端末から上記設定情報を取得する取得手段と、上記取得手段によって取得された上記設定情報を、自装置の設定情報として設定する設定手段と、コンテンツを再生する再生手段と、を備え、上記再生手段は、上記携帯端末が検出されている間、上記設定手段によって設定された上記設定情報に従ってコンテンツを再生する、ことを特徴としている。
【００４３】
また、本発明に係る制御方法は、上述のように、再生装置の制御方法であって、ユーザの嗜好を反映した設定情報が格納されている携帯端末から上記設定情報を取得する取得ステップと、上記取得ステップにおいて取得された上記設定情報を、自装置の設定情報として設定する設定ステップと、コンテンツを再生する再生ステップと、を含み、上記再生ステップは、上記携帯端末が検出されている間、上記設定ステップにおいて設定された上記設定情報に従ってコンテンツを再生する、ことを特徴としている。
【００４４】
上記の構成によれば、上記再生装置は、当該再生装置に対するユーザの設定情報の入力に関する負担を軽減すると共に、ユーザの嗜好に合致した設定でコンテンツを再生することができる。
【図面の簡単な説明】
【００４５】
【図１】本発明の一実施形態に係るテレビの備える制御部及びＲＡＭの構成を示すブロック図である。
【図２】本発明の一実施形態に係る表示システムの概略を示す図である。
【図３】本発明の一実施形態に係るテレビの構成を示すブロック図である。
【図４】本発明の一実施形態に係る携帯端末の構成を示すブロック図である。
【図５】本発明の一実施形態に係るテレビを複数のユーザで使用する場合の、優先携帯端末決定処理の流れを示すフローチャートである。
【図６】本発明の一実施形態に係るテレビにおける優先携帯端末再決定処理の流れを示すフローチャートである。
【図７】本発明の一実施形態に係るテレビにおけるゲスト優先携帯端末決定処理の流れを示すフローチャートである。
【発明を実施するための形態】
【００４６】
本発明の一実施形態に係る再生装置について、図１から図７を参照して説明する。但し、この実施形態に記載されている構成は、特に特定的な記載がない限り、この発明の範囲をそれのみに限定する趣旨ではなく、単なる説明例に過ぎない。なお、本実施形態に係る再生装置は、テレビジョン受像機（以降、単にテレビとも呼称する）によって実現されているため、以下ではテレビと呼称する。
【００４７】
〔表示システム〕
まず、本実施形態に係る表示システムについて、図２を参照して説明する。図２は、本実施形態に係る表示システム１の概略を示す図である。
【００４８】
図２に示すように、本実施形態に係る表示システム１は、コンテンツを再生するテレビ１０、及び、携帯端末２０を備えている。なお、コンテンツとは、動画像、静止画像、音声などを含むデータである。
【００４９】
（テレビの構成）
まず、テレビ１０の構成について、図３を参照して説明する。図３は、本実施形態に係るテレビ１０の構成を示すブロック図である。
【００５０】
テレビ１０は、図３に示すように、外部入力端子１０１、地上デジタル放送チューナ１０２、衛星放送チューナ１０３、録画再生部１０４、ＢＤドライブ１０５、映像セレクタ１０６、映像処理回路１０７、ＯＳＤ（On-Screen Display）生成部１０８、ＬＣＤ（Liquid Crystal Display）コントローラ１０９、ＬＣＤ１１０、音声セレクタ１１１、音声処理回路１１２、アンプ１１３、スピーカ１１４、ＵＳＢ（Universal Serial Bus）インターフェース１１５、ＲＯＭ１１６、ＲＡＭ１１７、制御部１１８、赤外線受光部１１９、無線通信部１２０、および、ＨＤドライブ１２１を備えている。図３においては、映像信号の経路を実線で、音声信号の経路を１点鎖線で、データや制御信号の経路（バス）を太線で示している。
【００５１】
外部入力端子１０１は、映像入力端子１０１ａと音声入力端子１０１ｂとを含む。映像入力端子１０１ａは、映像信号を入力するためのものであり、例えば、ＤＶＩ端子である。音声入力端子１０１ｂは、音声信号を入力するためのものであり、例えば、Ｓ／ＰＤＩＦ端子である。ただし、外部入力端子１０１は、これに限定されず、映像入力端子１０１ａと音声入力端子１０１ｂとが一体化されたＨＤＭＩ端子などであってもよい。
【００５２】
地上デジタル放送チューナ１０２は、地上デジタル放送により放送される放送番組を受信するためのチューナである。地上デジタル放送チューナ１０２は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号および音声信号を復号する復号部により構成することができる。
【００５３】
地上デジタル放送チューナ１０２により復調されたＭＰＥＧ２ストリームは、バスを介して録画再生部１０４に供給される。また、地上デジタル放送チューナ１０２により復号された映像信号および音声信号は、それぞれ、映像セレクタ１０６および音声セレクタ１１１に供給さる。なお、地上デジタル放送チューナ１０２が何れのチャンネルを復調対象として選択するかは、制御部１１８により制御される。
【００５４】
なお、地上デジタル放送チューナ１０２は、異なるチャンネルを介して放送される２つのＭＰＥＧ２ストリームを同時に復調することが可能なダブルチューナであることが好ましい。この場合、地上デジタル放送チューナ１０２は、選局対象チャンネルとして選択した第１のチャンネルを介して放送されるＭＰＥＧ２ストリームを録画再生部１０４に供給すると共に、そのＭＰＥＧ２ストリームから復号した映像信号および音声信号を映像セレクタ１０６および音声セレクタ１１１に供給する。また、地上デジタル放送チューナ１０２は、録画対象チャンネルとして選択した第２のチャンネルを介して放送されるＭＰＥＧ２ストリームを録画再生部１０４に供給する。
【００５５】
もちろん、本発明に係る地上デジタル放送チューナ１０２は、ダブルチューナに限定されるものではなく、例えば、シングルチューナであってもよく、３つ以上のチューナを備える複数のチューナであってもよい。地上デジタル放送チューナ１０２がシングルチューナである場合には、ユーザが放送番組を視聴していないときに限って、放送番組を表すＭＰＥＧ２ストリームを録画再生部１０４に供給することができる。また、地上デジタル放送チューナ１０２が複数のチューナによって構成される場合には、チャンネル毎、放送波毎、又は、視聴者毎（例えば、お父さん、お母さん、及び、子供など）に、異なるチャンネルを介して放送される放送番組を表すＭＰＥＧ２ストリームを録画再生部１０４に供給することができる。
【００５６】
衛星放送チューナ１０３は、衛星放送により放送される放送番組を受信するためのチューナである。衛星放送チューナ１０３は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号を復号する復号部により構成することができる。
【００５７】
衛星放送チューナ１０３により復調されたＭＰＥＧ２ストリームは、録画再生部１０４に供給される。また、衛星放送チューナ１０３により復号された映像信号および音声信号は、それぞれ、映像セレクタ１０６および音声セレクタ１１１に供給さる。なお、衛星放送チューナ１０３が何れのチャンネルを介して伝送されるＭＰＥＧ２データストリームを復調するかは、制御部１１８により選択される。
【００５８】
なお、本実施形態における衛星放送チューナ１０３は、地上デジタル放送チューナ１０２と同様、異なるチャンネルを介して放送される２つの放送番組を同時に受信することが可能なダブルチューナであることが好ましい。
【００５９】
録画再生部１０４は、録画部１０４ａと再生部１０４ｂとを含む。録画部１０４ａは、地上デジタル放送チューナ１０２および衛星放送チューナ１０３の何れかからＭＰＥＧ２ストリームを取得し、取得したＭＰＥＧ２ストリームを記録装置に書き込む。録画部１０４ａは、テレビ１０に内蔵されたＢＤドライブ１０５、テレビ１０に内蔵されたＨＤドライブ１２１、および、ＵＳＢインターフェース１１５に接続されたＨＤドライブ２を、ＭＰＥＧ２ストリームを記録するための記録装置として使用することができる。再生部１０４ｂは、記録装置からＭＰＥＧ２ストリームを読み出し、読み出したＭＰＥＧ２ストリームから映像信号および音声信号を復号する。再生部１０４ｂにより復号された映像信号および音声信号は、それぞれ、映像セレクタ１０６および音声セレクタ１１１に供給される。
【００６０】
映像セレクタ１０６には、上述した４種類の映像信号が供給される。すなわち、（１）外部入力端子１０１（特に映像入力端子１０１ａ）から入力された映像信号、（２）地上デジタル放送チューナ１０２にて復号された映像信号、（３）衛星放送チューナ１０３にて復号された映像信号、および、（４）録画再生部１０４（特に再生部１０４ｂ）にて復号された映像信号が入力される。映像セレクタ１０６は、上記（１）〜（４）の映像信号のうちの何れか１つを選択する。映像セレクタ１０６によって選択された映像信号は、映像処理回路１０７に供給される。なお、映像セレクタ１０６が何れの映像信号を選択するかは、制御部１１８によって制御される。
【００６１】
映像処理回路１０７は、映像セレクタ１０６から供給された映像信号に画質調整処理を施す。また、映像処理回路１０７は、映像セレクタ１０６から供給された映像信号にスケーリング処理を施す。ここで、画質調整処理とは、例えば、映像信号を加工することによって、その映像信号が表す映像の輝度、シャープネス、および、コントラストの少なくとも何れかを変更することを指す。また、スケーリング処理とは、映像信号を加工することによって、その映像信号が表す映像のサイズを相似拡大または相似縮小することを指す。映像処理回路１０７によって加工された映像信号は、ＬＣＤコントローラ１０９に供給される。なお、映像処理回路１０７が画質およびサイズをどのように変更するかは、制御部１１８によって制御される。
【００６２】
ＯＳＤ生成部１０８は、制御部１１８から供給されたＯＳＤデータからＯＳＤ画像を生成（レンダリング）する。ＯＳＤ生成部１０８が生成するＯＳＤ画像としては、電子番組表などが挙げられる。ＯＳＤデータとしては、例えば、ＳＶＧ（Scalable Vector Graphics）を用いることができる。ＯＳＤ生成部１０８により生成されたＯＳＤ画像は、映像処理回路１０７から供給された映像信号に重畳され、ＬＣＤコントローラ１０９に供給される。
【００６３】
ＬＣＤコントローラ１０９は、映像処理回路１０７から供給された映像信号に基づいて、その映像信号が表す映像を表示するようにＬＣＤ１１０を駆動する。また、ＯＳＤ生成部１０８からＯＳＤ画像が供給されている場合、ＬＣＤコントローラ１０９は、映像処理回路１０７から供給された映像信号にＯＳＤ画像が重畳されたものに基づいて、その映像信号が表す映像を表示するようにＬＣＤ１１０を駆動する。
【００６４】
音声セレクタ１１１には、上述した４種類の音声信号が供給される。すなわち、（１）外部入力端子１０１（特に音声入力端子１０１ｂ）から入力された音声信号、（２）地上デジタル放送チューナ１０２にて復号された音声信号、（３）衛星放送チューナ１０３にて復号された音声信号、および、（４）録画再生部１０４（特に再生部１０４ｂ）にて復号された音声信号が入力される。音声セレクタ１１１は、上記（１）〜（４）の音声信号のうちの何れか１つを選択する。
【００６５】
音声セレクタ１１１によって選択された音声信号は、音声処理回路１１２に供給される。なお、音声セレクタ１１１が何れの音声信号を選択するかは、制御部１１８によって制御される。ただし、映像セレクタ１０６における映像の選択と、音声セレクタ１１１における音声の選択とは連動しており、例えば、映像セレクタ１０６が地上デジタル放送チューナ１０２から供給された映像信号を選択しているときには、音声セレクタ１１１も地上デジタル放送チューナ１０２から供給された音声信号を選択する。
【００６６】
音声処理回路１１２は、音声セレクタ１１１から供給された音声信号に音量調整処理を施す。また、音声処理回路１１２は、音声セレクタ１１１から供給された音声信号に音質調整処理を施す。ここで、音量調整処理とは、音声信号を加工することによって、その音声信号が表す音声の音量を変更することを指す。また、音質調整処理とは、音声信号を加工することによって、その音声信号が表す音声の周波数特性を変更すること（例えば、低域の強調や高域の強調など）を指す。音声処理回路１１２によって加工された音声信号は、アンプ１１３に供給される。なお、音声処理回路１１２によって音量および音質をどのように変更するかは、制御部１１８によって制御される。
【００６７】
アンプ１１３は、音声処理回路１１２から供給された音声信号に基づいて、その音声信号が表す音声を出力するようにスピーカ１１４を駆動する。
【００６８】
制御部１１８は、赤外線受光部１１９が受信したリモコン信号に応じて上記各部を制御する。赤外線受光部１１９を用いた制御としては、例えば、地上デジタル放送チューナ１０２および衛星放送チューナ１０３の受信チャンネルをリモコン信号に応じて切り替える制御や、映像セレクタ１０６および音声セレクタ１１１にて選択する映像信号および音声信号をリモコン信号に応じて切り替える制御などが挙げられる。
【００６９】
また、制御部１１８は、各放送局から提供されるＥＰＧ（Electronic Program Guide）データから放送番組テーブルを作成する機能、および、放送番組テーブルと視聴履歴とから推奨番組テーブルを作成する機能を有している。制御部１１８によって作成される放送番組テーブルと推奨番組テーブルとについては、参照する図面を代えて後述する。なお、各放送局から提供されるＥＰＧデータは、例えば、地上デジタル放送チューナ１０２又は衛星放送チューナ１０３を用いて取得してもよいし、図示しないイーサーネット（登録商標）インターフェースを介して、インターネットに接続されたサーバから取得してもよい。
【００７０】
また、制御部１１８は、携帯端末２０から、ユーザの嗜好を反映した設定情報（以降では、携帯端末２０から取得される設定情報を、嗜好情報とも呼称する）を取得する。また、制御部１１８は、取得した嗜好情報をテレビ１０の設定情報として適用する嗜好情報適用処理を実行する。なお、嗜好情報、及び、嗜好情報適用処理については後述する。
【００７１】
ＲＯＭ１１６は、制御部１１８によって実行されるプログラムなどの固定データが格納される、読み出し可能かつ書き込み不能なメモリである。一方、ＲＡＭ１１７は、制御部１１８が演算のために参照するデータや、制御部１１８が演算によって生成したデータなどの可変データが格納される、読み出し可能かつ書き込み可能なメモリである。例えば、放送番組テーブルおよび推奨番組テーブルは、このＲＡＭ１１７に格納される。
【００７２】
無線通信部１２０は、外部装置を無線接続するためのインターフェースであり、外部装置と無線通信を行う。無線通信部１２０における無線通信としては、例えば、ＷｉＦｉ（Wireless Fidelity）、赤外線通信、TransferJet、Bluetooth（登録商標）、及び、ＩＥＥＥ８０２１１などの無線通信を挙げることができる。なお、本実施形態では、外部装置として、携帯端末２０が無線接続される場合を例に挙げて説明する。
【００７３】
ＵＳＢインターフェース１１５は、外部装置を有線接続するためのインターフェースであり、具体的には、ＵＳＢ機器をテレビ１０に接続するためのインターフェースである。テレビ１０に接続可能なＵＳＢ機器としては、ＨＤ（ハードディスク）ドライブ、ＢＤドライブ、及び、ＤＶＤドライブなどの記録装置が代表的である。
【００７４】
また、外部装置を接続するためのインターフェースも、ＵＳＢインターフェース１１５に限定されない。すなわち、ＵＳＢインターフェース１１５は、例えば、ＡＴＡ（Advanced Technology Attachment）、ＡＴＡＰＩ（ATA Packet Interface）、ＩＥＥＥ１３９４、ＨＤＭＩ（High-Definition Multimedia Interface）、および、ＬＡＮなどの有線接続用インターフェースに置換することが可能である。ＳＤカードが接続されている場合には、このＳＤカードを外部装置として使用してもよい。要するに、外部装置を接続するためのインターフェースは、何を用いてもよい。
【００７５】
また、本実施形態においては、地上デジタル放送の方式として、ＭＰＥＧ２ストリームを多重化する方式（米国におけるＡＴＳＣ方式や日本におけるＩＳＤＢ−Ｔ方式など）を想定しているが、本発明はこれに限定されるものではない。すなわち、例えば、ＭＰＥＧ２ストリームを多重化する代わりに、ＭＰＥＧ４ストリーム等を多重化する方式（欧州におけるＤＶＢ−Ｔ／ＤＶＢ−Ｔ２方式など）に対しても本発明を適用することができる。後者の場合、復調したＭＰＥＧ４ストリームをそのまま記録媒体に記録する構成を採用してもよいし、あるいは、復調したＭＰＥＧ４ストリームをＭＰＥＧ２ストリームに変換して記録媒体に記録する構成を採用してもよい。
【００７６】
（制御部、ＲＡＭの構成）
次に、本実施携帯に係る制御部１１８及びＲＡＭ１１７の詳細な構成について、図１を参照して説明する。図１は、本実施形態に係る制御部１１８及びＲＡＭの詳細な構成を示すブロック図である。
【００７７】
制御部１１８は、図１に示すように、判定部（検出手段）１８１、通信制御部１８２、タイマー１８３、取得設定部（取得手段、設定手段）１８４、再生制御部（再生手段）１８５、受信制御部（視聴制限設定手段）１８６、及び、設定出力部（供給手段）１８７を備えている。
【００７８】
判定部１８１は、テレビ１０の周囲に存在する携帯端末２０を検出する手段であり、具体的には、携帯端末２０がテレビ１０の周囲に存在するか否かを判定することによって、携帯端末２０を検出する。また、携帯端末２０が複数存在している場合、各携帯端末２０の優先順位を判定する手段である。
【００７９】
携帯端末２０がテレビ１０の周囲に存在するか否かを判定する方法としては、例えば、判定部１８１が無線通信部１２０を介して無線信号を送信し、携帯端末２０からの応答があるか否かによって判定を行う方法などを挙げることができる。以降では、携帯端末２０におけるテレビ１０の周囲に存在するか否かの判定処理を、携帯端末２０の検出処理とも呼称する。
【００８０】
また、判定部１８１における各携帯端末２０の優先順位を判定する方法としては、例えば、各携帯端末２０と優先順位とを予め関連付けて登録しておき、上記のようにして検出された携帯端末２０に関連付けられた優先順位を読み出すことで、各携帯端末２０の優先順位を判定する方法などを挙げることができる。
【００８１】
判定部１８１は、携帯端末２０が検出された場合、取得設定部１８４に携帯端末２０が検出された旨を通知する。また、判定部１８１は、携帯端末２０が検出されなかった場合には、取得設定部１８４に携帯端末２０が検出されなかった旨を通知する。
【００８２】
通信制御部１８２は、テレビ１０の電源がＯＮ状態に遷移した場合、及び、ユーザからのコンテンツの再生指示を取得した場合などに、判定部１８１に対し、携帯端末２０の検出処理を実行することを指示するための、検出制御信号を供給する。また、通信制御部１８２は、判定部１８１に対し、繰り返し検出制御信号を供給する。なお、通信制御部１８２は、判定部１８１に対し、検出制御信号を供給した後、所定の期間が経過したと判定した場合に検出制御信号を供給することにより、繰り返し（例えば、周期的に）検出制御信号を供給する。
【００８３】
判定部１８１は、通信制御部１８２から供給される検出制御信号に従い、携帯端末２０がテレビ１０の周囲に存在するか否かを、繰り返し判定する。
【００８４】
なお、通信制御部１８２における所定の期間が経過したか否かの判定は、例えば、タイマー１８３からの通知によって判定すればよい。具体的には、通信制御部１８２は、タイマー１８３からの通知を取得すると、所定の期間が経過したと判定し、判定部１８１に対し、検出制御信号を供給する。
【００８５】
タイマー１８３は、通信制御部１８２が判定部１８１に検出制御信号を供給した時点から一定期間（例えば、１０分など）が経過する度に、一定期間が経過した旨を通信制御部１８２に通知する手段である。
【００８６】
取得設定部１８４は、双方向通信により、判定部１８１において優先順位が最も高いと判定された携帯端末２０に格納されているユーザの嗜好情報を取得する手段であり（取得手段）また、取得した嗜好情報をテレビ１０の設定情報としてＲＡＭ１１７に格納する手段（設定手段）である。なお、嗜好情報の詳細については後述する。
【００８７】
具体的には、取得設定部１８４は、判定部１８１から、携帯端末２０が検出された旨が通知されると、上記のように携帯端末２０から嗜好情報を取得し、ＲＡＭ１１７に格納する。なお、取得設定部１８４は、判定部１８１から、携帯端末２０が検出されなかった旨が通知された場合には、ＲＡＭ１１７に格納されている嗜好情報を削除してもよい。
【００８８】
ＲＡＭ１１７は、図１に示すように、視聴環境情報記憶部１１７ａ、及び、制限設定情報記憶部１１７ｂを有している。また、視聴環境情報記憶部１１７ａは、一次記憶部１７１、及び、ユーザ設定記憶部１７２を有しており、制限設定情報記憶部１１７ｂは、一次記憶部１７３、及び、ユーザ設定記憶部１７４を有している。
【００８９】
一次記憶部１７１及び一次記憶部１７３のそれぞれには、携帯端末２０から取得した視聴環境情報、及び、制限設定情報が格納されている。一方、ユーザ設定記憶部１７２及びユーザ設定記憶部１７４のそれぞれには、テレビ１０に予め設定されている視聴環境情報、及び、制限設定情報のユーザ設定情報が格納されている。
【００９０】
なお、視聴環境情報、及び、制限設定情報の詳細については後述するが、視聴環境情報には、常連番組データ、画質設定パラメータ、及び、音声設定パラメータなどが含まれ、制限設定情報には、視聴年齢制限情報、及び、課金番組制限情報などが含まれる。また、嗜好情報は、視聴環境情報、及び、制限設定情報を含んで構成されている。
【００９１】
再生制御部１８５は、ＲＡＭ１１７に携帯端末２０から取得した嗜好情報が格納されている場合に、嗜好情報に従ってコンテンツを再生するよう、映像処理回路１０７、及び、音声処理回路１１２を制御する手段である。また、再生制御部１８５は、ＲＡＭ１１７に携帯端末２０から取得した嗜好情報が格納されていない場合には、ＲＡＭ１１７に格納されている、テレビ１０に予め設定されている設定情報に従ってコンテンツを再生するよう、映像処理回路１０７、及び、音声処理回路１１２を制御する。
【００９２】
具体的には、再生制御部１８５は、視聴環境情報記憶部１１７ａの有する一次記憶部１７１に視聴環境情報が格納されている場合、視聴環境情報に含まれる画質調整パラメータを映像処理回路１０７に供給し、音質調整パラメータを音声処理回路１１２に供給する。映像処理回路１０７は、供給された画質調整パラメータに従ってコンテンツの映像信号に画質調整処理を施し、音声処理回路１１２は、供給された音質調整パラメータに従ってコンテンツの音声信号に音質調整処理を施す。
【００９３】
受信制御部１８６は、テレビ１０の備える外部入力端子１０１、地上デジタル放送チューナ１０２、及び、衛星放送チューナ１０３（以降、まとめて単にチューナ部とも呼称する）における、放送番組に代表されるコンテンツの受信を制御する。具体的には、受信制御部１８６は、視聴環境情報記憶部１１７ａの有する一次記憶部１７１に視聴環境情報が格納されている場合、視聴環境情報に含まれる常連番組データを読み出し、チューナ部における選局対象チャンネルを、常連番組データが示す常連番組が受信可能に設定する。
【００９４】
また、受信制御部１８６は、制限設定情報記憶部１１７ｂの有する一次記憶部１７３に制限設定情報が格納されている場合、制限設定情報に含まれる視聴年齢制限情報、及び、課金番組制限情報をそれぞれ読み出す。
【００９５】
受信制御部１８６は、視聴年齢制限情報に従い、ユーザの年齢に応じて制限される選局可能なチャンネルを、視聴年齢制限情報が示す年齢が選局可能なチャンネルに設定する。例えば、受信制御部１８６は、視聴年齢制限情報が示すユーザの年齢が１４歳である場合には、１５歳以上でなければ視聴することのできない放送番組を放送するチャンネルを受信可能なチャンネルから除外する。
【００９６】
また、受信制御部１８６は、課金番組制限情報に従い、課金（すなわち、課金することによる視聴契約）しなければ視聴できないチャンネルのうち、課金番組制限情報が示す課金済（又は、課金の登録済）のチャンネルを、選局可能チャンネルとして設定する。以降では、課金による視聴の契約を、単に視聴契約とも呼称する。
【００９７】
例えば、課金することで視聴可能となる映画を専用に放送するチャンネル（映画専用チャンネル）に対する視聴契約がすでに完了していることを課金番組制限情報が示す場合には、受信制御部１８６は、映画専用チャンネルを選局可能なチャンネルに追加する。
【００９８】
設定出力部１８７は、視聴環境情報記憶部１１７ａ及び制限設定情報記憶部１１７ｂがそれぞれ有するユーザ設定記憶部１７２、１７４に格納されている、ユーザ設定情報を、ユーザの嗜好情報として携帯端末２０に供給する手段である。
【００９９】
設定出力部１８７を備えることにより、テレビ１０は、テレビ１０に設定されている設定情報を携帯端末２０へ供給することができる。これによれば、ユーザは、自身の嗜好に沿ってテレビ１０において設定した設定情報を、自身の所有する携帯端末２０に格納することができる。したがって、ユーザは、自身の嗜好に沿って設定した嗜好情報を、携帯端末２０によって持ち運ぶことができる。
【０１００】
（携帯端末）
次に、本実施形態に係るテレビ１０と通信を行う携帯端末２０について、図４を参照して説明する。図４は、本実施形態に係る携帯端末２０の概略の構成を示す図である。
【０１０１】
携帯端末２０は、図４に示すように、無線通信部２０１、取得部２０２、読出部２０３、及び、記憶部２０４を備えている。
【０１０２】
無線通信部２０１は、テレビ１０を無線接続するためのインターフェースであり、テレビ１０と無線通信を行う。無線通信部２０１における無線通信としては、例えば、ＷｉＦｉ、赤外線通信、TransferJet、Bluetooth（登録商標）、及び、ＩＥＥＥ８０２１１などの無線通信を挙げることができる。
【０１０３】
取得部２０２は、無線通信部２０１を介してテレビ１０から供給される、ユーザ設定情報を取得する手段である。具体的には、取得部２０２は、携帯端末２０を所有するユーザがテレビ１０にて設定したユーザ設定情報を、当該携帯端末２０を所有するユーザの嗜好情報として取得し、記憶部２０４に格納する。
【０１０４】
読出部２０３は、記憶部２０４に格納されている嗜好情報をテレビ１０に供給するために記憶部から読み出す手段である。読出部２０３は、読み出した嗜好情報を無線通信部２０１を介して、テレビ１０に出力する。
【０１０５】
記憶部２０４は、取得部２０２によって取得された嗜好情報を格納する。記憶部２０４は、図４に示すように、視聴環境情報記憶部２０４ａ、及び、制限設定情報記憶部２０４ｂを有している。また、視聴環境情報記憶部２０４ａは、常連番組データ格納部２４１、画質設定パラメータ格納部２４２、及び、音声設定パラメータ格納部２４３を有しており、制限設定情報記憶部２０４ｂは、視聴年齢制限情報格納部２４４、及び、課金番組制限情報格納部２４５を有している。
【０１０６】
〔嗜好情報〕
ここで、嗜好情報について説明する。嗜好情報は、携帯端末２０を所有するユーザの嗜好を反映した設定情報である。なお、嗜好情報は、視聴環境情報、及び、制限設定情報を含んで構成されている。
【０１０７】
（視聴環境情報）
視聴環境情報は、ユーザが普段使用しているテレビ（テレビ１０であってもよいし、テレビ１０以外のテレビであってもよい）に設定されている、画質及び音質などのユーザ設定を示す情報である。また、視聴環境情報には、ユーザが普段視聴することの多いチャンネル及びジャンルなどの情報が含まれている。視聴環境情報は、画質設定パラメータ、音声設定パラメータ、及び、常連番組データを含んで構成されている。
【０１０８】
画質設定パラメータは、ユーザの嗜好に合わせて設定されている、映像信号に画質調整処理を施す際に参照されるパラメータ（例えば、輝度、シャープネス、及び、コントラストなどの少なくとも何れかの設定値）を示す情報である。
【０１０９】
音声設定パラメータは、ユーザの嗜好に合わせて設定されている、音声信号に音室調整処理を施す際に参照されるパラメータ（例えば、低域の強調、及び、高域の強調などの少なくとも何れかの設定値）を示す情報である。
【０１１０】
常連番組データは、ユーザがよく選局するチャンネル、及び、よく選局するジャンル（例えば、映画番組、音楽番組、及び、ドラマなど）を示す、ユーザの嗜好を示す情報である。
【０１１１】
（制限設定情報）
また、制限設定情報は、ユーザが普段使用しているテレビに設定されている、視聴に対する制限（視聴制限）が設けられているチャンネル、及び、コンテンツなどの制限解除設定などを示す情報である。制限設定情報は、視聴年齢制限情報、及び、課金番組制限情報などを含んで構成されている。
【０１１２】
視聴年齢制限情報は、ユーザの年齢を示す情報であり、ユーザの年齢に応じて制限されるチャンネル及びジャンルなどを視聴する際に参照される情報である。
【０１１３】
課金番組制限情報は、視聴契約をしなければ選局（視聴）できないチャンネル及びジャンルなどに対する契約状況を示す情報である。課金番組制限情報は、例えば、課金の契約をすることで初めて視聴可能になるチャンネル（例えば、映画専用チャンネルなど）に対して課金による視聴の契約が完了していることを示している。
【０１１４】
〔嗜好情報適用処理〕
次に、テレビ１０の備える制御部１１８において実行される、嗜好情報適用処理について、図５から図７を参照して説明する。
【０１１５】
（優先携帯端末決定処理）
まず、テレビ１０を利用するユーザの所有する携帯端末２０のうち、最も優先順位の高い携帯端末（以降、優先携帯端末とも呼称する）２０を決定する優先携帯端末決定処理について、図５を参照して説明する。
【０１１６】
図５は、テレビ１０を複数のユーザで使用する（すなわち、テレビ１０の周囲に複数の携帯端末２０が存在している）場合の優先携帯端末決定処理の流れを示すフローチャートである。なお、ユースケースとしては、例えば、リビングに設置されているテレビ１０を複数人のユーザで使用する場合などが挙げられる。
【０１１７】
図５に示すように、リモコン（不図示）、携帯端末２０又はテレビ１０に備えられている電源ボタン（不図示）などを操作することによって、テレビ１０の電源がＯＮ状態に遷移すると、まず、通信制御部１８２は、判定部１８１に、携帯端末２０の検出処理を実行するよう通知する。
【０１１８】
判定部１８１は、通信制御部１８２からの通知に基づき、携帯端末２０が検出されるか否かを判定する（ステップＳ１０１）。
【０１１９】
携帯端末２０が検出された場合（ステップＳ１０１においてＹＥＳ）、判定部１８１は、検出された携帯端末２０が、テレビ１０に登録されているか否かを判定する（ステップＳＤ１０２）。
【０１２０】
なお、判定方法としては、例えば、携帯端末を特定する特定情報をＲＡＭ１１７に格納し、検出された携帯端末２０の有する特定情報がＲＡＭ１１７に格納されているか否か（すなわち、テレビ１０が登録されているか否か）を判定するなどを挙げることができる。特定情報としては、例えば、携帯端末の製造番号、電話番号又はメールアドレスなどを挙げることができる。
【０１２１】
検出された携帯端末２０がテレビ１０に登録されていない場合（ステップＳ１０２においてＮＯ）、判定部１８１は、検出された携帯端末２０を、ゲスト（すなわち、テレビ１０を普段から使用するユーザではないユーザ）の携帯端末であると判定する（ステップＳ１０３）。
【０１２２】
検出された携帯端末２０をゲストの携帯端末と判定した場合、及び、検出された携帯端末２０がテレビ１０に登録されている場合（ステップＳ１０２においてＹＥＳ）、判定部１８１は、検出された全ての携帯端末２０がＲＡＭ１１７に格納済みであるか否か、すなわち、検出された全ての携帯端末２０の有する各特定情報について登録済みであるか否かを判定する（ステップＳ１０４）。
【０１２３】
検出された全ての携帯端末２０の有する各特定情報について、登録済みであるか否かの判定がされていないと判定された場合（ステップＳ１０４においてＮＯ）、登録済みか否かが判定されていない携帯端末２０の有する特定情報がテレビ１０に登録されているか否かを判定する（ステップＳ１０２）。
【０１２４】
すなわち、検出された全ての携帯端末２０の有する各特定情報についてテレビ１０に登録済みであるか否かが判定されたと判定されるまで、判定部１８１は、ステップＳ１０２〜Ｓ１０４までの処理を繰り返す。
【０１２５】
検出された全ての携帯端末２０の有する各特定情報についてテレビ１０に登録済みであるか否かが判定されたと判定されると（ステップＳ１０４においてＹＥＳ）、判定部１８１は、検出された全ての携帯端末２０のうち、何れの携帯端末２０が最も優先順位の高い携帯端末２０であるかを決定する（ステップＳ１０５）。
【０１２６】
優先携帯端末の決定は、例えば、判定部１８１において、各携帯端末２０と予め関連づけられている優先順位を読み出して、検出された各携帯端末２０に関連付けられている優先順位の比較を行い、最も高い優先順位と関連付けられている携帯端末２０を優先携帯端末として決定すればよい。なお、本実施形態では、ゲストの携帯端末と判定された携帯端末２０は、優先順位が最も低い携帯端末２０として判定される構成を例に挙げて説明するが、もちろん、これに限定されるものではなく、優先携帯端末として判定されてもよい。
【０１２７】
判定部１８１によって優先携帯端末が決定されると、取得設定部１８４は、無線通信によって双方向通信を開始し、テレビ１０に設定されているユーザ設定の変更処理（嗜好情報適用処理）を実行する（ステップＳ１０６）。
【０１２８】
携帯端末２０が検出されない場合（ステップＳ１０１においてＮＯ）、及び、嗜好情報適用処理が実行された後、制御部１１８は、優先携帯端末決定処理を終了する。なお、嗜好情報適用処理については、以下で説明する。
【０１２９】
上述の構成によれば、テレビ１０は、判定部１８１によって、テレビ１０の周囲に携帯端末２０が存在するか否かを判定し、存在すると判定した場合に携帯端末２０から嗜好情報を取得する。つまり、判定部１８１が、携帯端末２０が存在しないと判定した場合には、テレビ１０は携帯端末２０から嗜好情報を取得しない。このため、携帯端末２０が存在しないと判定された場合には、テレビ１０に嗜好情報が設定されることもない。
【０１３０】
これによって、テレビ１０は、携帯端末２０から取得した嗜好情報をテレビ１０の嗜好情報として設定するか否かを、携帯端末２０が存在するか否かによって決定することができる。
【０１３１】
また、上述の構成によれば、テレビ１０は、携帯端末２０が複数存在する場合には、優先携帯端末に格納されている嗜好情報を取得し、テレビ１０の設定情報、及び、視聴制限の設定に用いる。
【０１３２】
したがって、テレビ１０は、携帯端末２０が複数存在する場合であっても、テレビ１０を利用しているユーザの嗜好として用いるのに最も適した嗜好情報で、設定情報、及び、視聴制限を設定することができる。
【０１３３】
（嗜好情報適用処理）
次に、優先携帯端末決定処理によって決定された優先携帯端末から取得した嗜好情報を、テレビ１０に設定されるユーザ設定として適用する、嗜好情報適用処理について説明する。
【０１３４】
判定部１８１によって優先携帯端末が決定されると、取得設定部１８４は、優先携帯端末と双方向通信を開始し、無線通信部１２０を介して優先携帯端末から嗜好情報を取得する。
【０１３５】
優先携帯端末から嗜好情報を取得すると、取得設定部１８４は、取得した嗜好情報をＲＡＭ１１７に格納する。具体的には、取得設定部１８４は、嗜好情報に含まれる視聴環境情報を視聴環境情報記憶部１１７ａの有する一次記憶部１７１に格納し、制限設定情報を制限設定情報記憶部１１７ｂの有する一次記憶部１７３に格納する。
【０１３６】
優先携帯端末から取得された嗜好情報がＲＡＭ１１７に格納されている場合には、再生制御部１８５は、テレビ１０においてコンテンツが再生される場合に参照されるユーザ設定として、嗜好情報を適用する。
【０１３７】
具体的には、再生制御部１８５は、格納された視聴環境情報に含まれる画質調整パラメータに従って画質調整処理を施すよう映像処理回路１０７を制御する。また、再生制御部１８５は、視聴環境情報に含まれる音質調整パラメータに従って音質調整処理を施すよう音声処理回路１１２を制御する。
【０１３８】
また、優先携帯端末から取得された嗜好情報がＲＡＭ１１７に格納されている場合には、受信制御部１８６は、嗜好情報に基づいて、テレビ１０の有するチューナ部におけるコンテンツの受信を制御する。
【０１３９】
具体的には、受信制御部１８６は、チューナ部における選局対象チャンネルを、視聴環境情報に含まれる常連番組データが示す常連番組のチャンネルに設定する。また、受信制御部１８６は、ユーザの年齢に応じて制限される選局可能なチャンネルを、制限設定情報に含まれる視聴年齢制限情報が示す年齢が選局可能なチャンネルに設定する。さらに、受信制御部１８６は、視聴契約をしたユーザのみが選局可能なチャンネルのうち、課金番組制限情報が示す視聴契約済みのチャンネルを選局可能なチャンネルに設定する。
【０１４０】
上述の構成によれば、テレビ１０は、携帯端末２０に格納されているユーザの嗜好を反映した設定情報を、テレビ１０の設定情報として用いることができる。
【０１４１】
これによって、テレビ１０は、ユーザがテレビ１０においてコンテンツを再生する際の設定情報を入力する手間を省くことができる。また、テレビ１０は、携帯端末２０から設定情報を取得することによって、携帯端末２０のユーザの嗜好に特化した設定を行うことができる。
【０１４２】
したがって、テレビ１０は、テレビ１０に対するユーザの設定情報の入力に関する負担を軽減すると共に、ユーザの嗜好に合致した設定でコンテンツを再生することができる。
【０１４３】
また、上述の構成によれば、設定された設定情報に従い、受信制御部１８６によって視聴制限を設定する。これによって、テレビ１０は、ユーザがテレビ１０に対するコンテンツの視聴制限に関する設定を入力する手間を省くことができる。
【０１４４】
したがって、テレビ１０は、ユーザの視聴制限の入力に関する負担を軽減すると共に、ユーザの嗜好に合致した設定で視聴制限を設定することができる。
【０１４５】
さらに、上述の構成によれば、判定部１８１は、各携帯端末２０と関連付けられている優先順位を参照することによって、携帯端末２０の優先順位を判定するため、優先順位を容易に判定することができる。また、判定部１８１は、優先順位が関連づけられていない携帯端末２０を、優先順位が関連づけられている携帯端末２０よりも、優先順位が低いと判定するため、優先順位が関連づけられていない携帯端末２０の優先順位が判定不能になることを防ぐことができる。
【０１４６】
また、課金番組制限情報によって視聴契約の情報を適用することができるため、課金番組を視聴する際に、課金番組に対して視聴契約を行ったことを示すパスワードを入力しなければならない場合にも、パスワードを入力する手間を省くことができる。これによって、テレビ１０は、ユーザの負担をさらに軽減することができる。
【０１４７】
（優先携帯端末再決定処理）
次に、テレビ１０の周囲に存在する携帯端末２０に変化がある場合、すなわち、携帯端末２０を所有するユーザがテレビ１０から離れたり、他のユーザが近づいたりする場合について、図６を参照して説明する。なお、テレビ１０の周囲に存在する携帯端末２０に変化がある場合に、テレビ１０において優先携帯端末を再び決定する処理を、以降では、優先携帯端末再決定処理とも呼称する。
【０１４８】
図６は、本実施形態に係るテレビ１０における優先携帯端末再決定処理の流れを示すフローチャートである。なお、本実施形態では、ユースケースとして、テレビ１０を複数人のユーザで使用している場合に、優先携帯端末を所有しているユーザがテレビ１０から離れた場合を例に挙げて説明するが、もちろんこれに限定されるものではない。例えば、携帯端末２０を所有する新たなユーザがテレビ１０に近づく（すなわち、新たにテレビ１０の利用に加わる）場合にも、同様に適用することができる。
【０１４９】
図６に示すように、判定部１８１は、通信制御部１８２から一定期間毎に通知される検出制御信号に従い、優先携帯端末が検出されるか否か（すなわち、テレビ１０の周囲に優先携帯端末が存在するか否か）を一定期間毎に判定する（ステップＳ２０１）。
【０１５０】
優先携帯端末が検出された場合（ステップＳ２０１においてＹＥＳ）、判定部１８１は、さらに一定期間後に、優先携帯端末が検出されるか否かを判定する。すなわち、判定部１８１は、優先携帯端末が検出されなくなるまで（ステップＳ２０１においてＮＯと判定されるまで）、ステップＳ２０１を繰り返す。
【０１５１】
優先携帯端末が検出されない場合（ステップＳ２０１においてＮＯ）、判定部１８１は、優先携帯端末が検出されなくなった後に、テレビ１０の周囲に新たな優先携帯端末が存在しているかを判定し（ステップＳ２０２）。存在している場合には、新たな優先携帯端末として決定する。以降では、新たに決定される優先携帯端末を、次優先携帯端末とも呼称する。なお、次優先携帯端末の決定は、例えば、上述した優先携帯端末決定処理と同様の処理を実行することによって実現すればよい。
【０１５２】
次優先携帯端末が存在すると判定された場合（ステップＳ２０２においてＹＥＳ）、取得設定部１８４は、無線通信によって双方向通信を開始し、テレビ１０に設定されているユーザ設定の変更処理（嗜好情報適用処理）を実行する（ステップＳ２０３）。なお、次優先携帯端末から取得した嗜好情報の適用処理は、上述した嗜好情報適用処理と同様であるため、ここでは説明を省略する。
【０１５３】
次優先携帯端末から取得した嗜好情報の適用処理が行われると、判定部１８１は、次優先携帯端末が検出されるか否かを一定期間毎に判定する（ステップＳ２０１）。つまり、次優先携帯端末が存在しないと判定されるまで（すなわち、ステップＳ２０２においてＮＯと判定されるまで）、テレビ１０は、ステップＳ２０１〜Ｓ２０３までの動作を繰り替えすことになる。
【０１５４】
次優先携帯端末が存在しないと判定された場合（ステップＳ２０２においてＮＯ）、制御部１１８は、所定の時間経過後にテレビ１０の電源をＯＦＦにする旨のメッセージをＬＣＤ１１０に表示する（ステップＳ２０４）。具体的には、制御部１１８は、電源をＯＦＦにする旨を表示するＯＳＤ画像を生成するよう、ＯＳＤ生成部１０８に通知し、ＬＣＤコントローラ１０９は、ＯＳＤ生成部１０８によって生成されたＯＳＤ画像をＬＣＤ１１０にするようレンダリングする。
【０１５５】
なお、次優先携帯端末が存在しないと判定された場合には、取得設定部１８４は、一時記憶部１７１及び１７３に格納されている、嗜好情報を削除してもよい。
【０１５６】
電源をＯＦＦにする旨のメッセージが表示されると、制御部１１８は、リモコン等による操作が行われるか否かを判定する（ステップＳ２０５）。
【０１５７】
リモコン等による操作がされた場合（ステップＳ２０５においてＹＥＳ）、再生制御部１８５は、コンテンツの再生時に参照される設定として、ユーザ設定記憶部１７２及び１７４に格納されている設定を読み出す（ステップＳ２０６）。なお、ユーザ設定記憶部１７２及び１７４に格納されている設定は、ユーザによって予め設定されている設定、又は、デフォルトの設定である。
【０１５８】
リモコン等による操作がされない場合（ステップＳ２０５においてＮＯ）、制御部１１８は、一定期間経過後にテレビ１０の電源をＯＦＦにする。
【０１５９】
上述の構成によれば、通信制御部１８２は、優先携帯端末が存在するか否かの判定を、所定の期間毎に、判定部１８１に実行させる。
【０１６０】
これにより、優先携帯端末を除く複数の携帯端末２０のうちから検出された次優先携帯端末に格納されている嗜好情報を、上記再生装置の設定情報して設定することができる。したがって、判定部１８１によって優先携帯端末に格納されている嗜好情報がテレビ１０の設定情報として設定され続けることを防ぐことができる。
【０１６１】
また、優先携帯端末よりも優先順位の高い携帯端末２０が検出された場合、上述の構成によれば、優先携帯端末よりも優先順位の高い携帯端末２０に格納されている嗜好情報をテレビ１０の設定情報として設定することができる。
【０１６２】
したがって、テレビ１０の周囲に存在する携帯端末２０が増減した場合にも、テレビ１０を利用しているユーザの嗜好情報として最も適した嗜好情報を、テレビ１０の設定情報として設定することができる。
【０１６３】
（ゲスト優先携帯端末決定処理）
次に、テレビ１０において携帯端末２０と優先順位とが予め関連付けられておらず、判定部１８１において検出される携帯端末２０が全てゲストとして判定される場合のゲスト優先携帯端末決定処理について、図７を参照して説明する。図７は、本実施形態に係るテレビ１０におけるゲスト優先携帯端末決定処理の流れを示すフローチャートである。
【０１６４】
なお、ユースケースとしては、例えば、テレビ１０がホテルなどに設置されており、特定のユーザがテレビ１０を頻繁に利用する環境でない場合などを挙げることができる。
【０１６５】
図７に示すように、リモコン（不図示）、携帯端末２０又はテレビ１０に備えられている電源ボタン（不図示）などを操作することによって、テレビ１０の電源がＯＮ状態に遷移すると、まず、通信制御部１８２は、判定部１８１に、携帯端末２０の検出処理を実行するよう通知する。
【０１６６】
判定部１８１は、通信制御部１８２からの通知に基づき、携帯端末２０が検出されるか否かを判定する（ステップＳ３０１）。
【０１６７】
携帯端末２０が検出された場合（ステップＳ１０３においてＹＥＳ）、判定部１８１は、検出された携帯端末２０を、ゲストの携帯端末であると判定し、ゲスト優先携帯端末を決定する（ステップＳ３０２）。なお、ゲスト優先携帯端末の決定方法としては、例えば、テレビ１０との双方向通信の強度が最も大きい携帯端末２０を、ゲスト優先携帯端末として決定する方法などを挙げることができる。
【０１６８】
ゲスト優先携帯端末が決定されると、取得設定部１８４は、無線通信によって双方向通信を開始し、テレビ１０に設定されているユーザ設定の変更処理（嗜好情報適用処理）を実行する（ステップＳ２０３）。なお、ゲスト優先携帯端末から取得した嗜好情報の適用処理は、上述した嗜好情報適用処理と同様であるため、ここでは説明を省略する。
【０１６９】
携帯端末２０が検出されない場合（ステップＳ１０３においてＮＯ）、コンテンツの再生時に参照される設定は、ユーザ設定記憶部１７２及び１７４に格納されている設定であればよい。なお、ユーザ設定記憶部１７２及び１７４に格納されている設定は、ユーザによって予め設定されている設定、又は、デフォルトの設定である。
【０１７０】
〔プログラム、記憶媒体〕
テレビ１０の各ブロックは、集積回路（ＩＣチップ）上に形成された論理回路によってハードウェア的に実現してもよいし、ＣＰＵ（Central Processing Unit）を用いてソフトウェア的に実現してもよい。
【０１７１】
後者の場合、テレビ１０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１０の制御プログラムのプログラムコード（実行形式プログラム、中間コードプログラム、ソースプログラム）をコンピュータで読み取り可能に記録した記録媒体を、テレビ１０に供給し、そのコンピュータ（またはＣＰＵやＭＰＵ）が記録媒体に記録されているプログラムコードを読み出し実行することによっても、達成可能である。
【０１７２】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１７３】
また、上記プログラムコードは、通信ネットワークを介してテレビ１０に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が使用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも使用可能である。
【０１７４】
なお、ここで開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【産業上の利用可能性】
【０１７５】
本発明は、ユーザの設定情報の入力を受け付ける再生装置一般に適用することができ、例えば、再生装置を有するテレビジョン受像機、パーソナルコンピュータ、カーナビゲーションシステム、ＢＤプレーヤ、及び、ＤＶＤプレーヤなどに好適に適用することができる。
【符号の説明】
【０１７６】
１０            テレビ
２０            携帯端末
１０１          外部入力端子
１０２          地上デジタル放送チューナ
１０３          衛星放送チューナ
１０４          録画再生部
１０４ａ        録画部
１０４ｂ        再生部
１０５          ＢＤドライブ
１０６          映像セレクタ
１０７          映像処理回路
１０８          ＯＳＤ生成部
１０９          ＬＣＤコントローラ
１１０          ＬＣＤ
１１１          音声セレクタ
１１２          音声処理回路
１１３          アンプ
１１４          スピーカ
１１５          ＵＳＢインターフェース
１１６          ＲＯＭ
１１７          ＲＡＭ
１１７ａ        視聴環境情報記憶部
１１７ｂ        制限設定情報記憶部
１１８          制御部
１１９          赤外線受光部
１２０          無線通信部
１２１          ＨＤドライブ
１７１、１７３  一次記憶部
１７２、１７４  ユーザ設定記憶部
１８１          判定部（検出手段）
１８２          通信制御部
１８３          タイマー
１８４          取得設定部（取得手段、設定手段）
１８５          再生制御部（再生手段）
１８６          受信制御部（視聴制限設定手段）
１８７          設定出力部（供給手段）
２０１          無線通信部
２０２          取得部
２０３          読出部
２０４          記憶部
２０４ａ        視聴環境情報記憶部
２０４ｂ        制限設定情報記憶部
２４１          常連番組データ格納部
２４２          画質設定パラメータ格納部
２４３          音声設定パラメータ格納部
２４４          視聴年齢制限情報格納部
２４５          課金番組制限情報格納部
【図１】
2013106108.tif 000003
【図２】
2013106108.tif 000004
【図３】
2013106108.tif 000005
【図４】
2013106108.tif 000006
【図５】
2013106108.tif 000007
【図６】
2013106108.tif 000008
【図７】
2013106108.tif 000009